(57)【要約】【課題】伸縮棒の内筒内への水の浸入を防止すると共に、組立てを容易とする。【解決手段】  内筒は、金属製の受部材８と、合成樹脂材の蓋部材９とから成る。受部材８では断面Ｃ字状の底部８ａの端縁間に凹状部８ｂが形成され、底部８ａと凹状部８ｂに囲まれた領域は密閉空間とされている。底部８ａと凹状部８ｂの境界部に一対の張出部８ｃ、８ｄが内方に向けて突出されている。蓋部材９の連結部９ｂの下部には所定間隔で可撓性を持つ爪部９ｃ、９ｄが設けられており、その根本部の両側には外側に向けて溝部９ｆ、９ｇが形成されている。受部材８の上に連結部９ｂを載置し上方から押し込むと、爪部９ｃ、９ｄは張出部８ｃ、８ｄを潜ぐり抜けて凹状部８ｂ内に入り込む。その後に、爪部９ｃ、９ｄは元の形状に復元し、溝部９ｆ、９ｇ内に張出部８ｃ、８ｄがそれぞれ嵌合し、受部材８と蓋部材９とが連結する。【選択図】図２
2015019939.tif 000002
【特許請求の範囲】
【請求項１】
外筒内に、金属製の受部材と合成樹脂製の蓋部材とを組合わせて成る内筒を挿入し、前記外筒に設けたストッパ機構により前記内筒を所望の長さで固定する伸縮棒であって、
前記受部材は断面Ｃ字状の底部に対し、該底部内に入り込む凹状部を設けて前記底部と前記凹状部間に密閉空間を形成すると共に、前記底部と前記凹状部との２つの境界部から内側に向いて向かい合う一対の張出部を突出し、
前記蓋部材は表面の長手方向に前記ストッパ機構の係止片を挿入する複数個の有底の係止凹部を設けると共に、長手方向に所定の間隔を隔てて下方を向き可撓性を有する一対ずつの爪部を設け、これらの爪部の基部のそれぞれに外側に向けて開口する溝部を設け、
前記受部材と前記蓋部材とを長手方向に揃えた状態で、前記受部材の張出部の縁部に前記蓋部材の爪部を押し付けて前記凹状部内に前記爪部を押し込むことにより前記溝部に前記張出部を嵌合し、前記受部材に前記蓋部材を連結したことを特徴とする伸縮棒。
【請求項２】
前記一対の爪部間には隙間を設けたことを特徴とする請求項１に記載の伸縮棒。
【請求項３】
前記係止凹部の１つに、前記ストッパ機構の操作レバーを操作して該操作レバーに設けた係止片を挿入することにより前記内筒を所望の長さで固定することを特徴とする請求項１又は２に記載の伸縮棒。
【請求項４】
前記爪部の上方の前記蓋部材の表面に押し込み位置を示すマークを付したことを特徴とする請求項１〜３の何れか１項に記載の伸縮棒。
【発明の詳細な説明】
【技術分野】
【０００１】
本発明は、例えば清掃用モップ、高枝切り鋏み等の柄部に使用できる伸縮自在の伸縮棒に関するものである。
【背景技術】
【０００２】
従来から、例えば清掃用モップ、高枝切り鋏み等においては、作業上の便利性の観点から、柄部の長さを自在に調整できる構造が要求されている。外筒内に内筒を挿通し、外筒からの内筒の引き出し長さを変えることにより伸縮させて、柄部の長さを自在に調整する種々の機構の伸縮棒が開発されている。
【０００３】
例えば、特許文献１の段落００１６、その図２等には、外筒内に内筒が挿通されており、伸縮解除レバーにより内筒に貫通していた係合ピンを引き抜くことで、任意の長さに柄部を調整できる洗浄具が記載されている。
【先行技術文献】
【特許文献】
【０００４】
【特許文献１】特開２００１−８０４７４号公報
【発明の概要】
【発明が解決しようとする課題】
【０００５】
従来の伸縮棒は、アルミニウム等の金属製の内筒の長手方向に複数の孔部を穿け、内筒を外筒から任意の長さに引き出し、内筒の孔部に、外筒に設けた操作レバーの凸部を係止することにより、外筒に対し内筒を固定して使用する。
【０００６】
しかし、この金属製の内筒に複数の孔部を穿設することは、次のような問題点が発生する。第１に、断面が凹状や環状等の同一形状となる金属製の内筒は、押出成形により容易に製造することができるが、その後に孔部を穿設する加工作業に手間を要し、製造コストが上昇する。また、内筒に加工が容易で安価な合成樹脂部材を用いて孔部を穿設加工することも考えられるが、内筒の強度が不足するという問題がある。
【０００７】
第２に、金属製の内筒に複数の孔部を穿設すると、これらの孔部から水が浸入し易いという問題がある。伸縮棒は風呂場の掃除具や屋外で使用する高枝切り鋏み等に用いることもあるから、孔部から水等が浸入すると腐蝕の原因となる。更には、一旦、内筒内に浸入した水は排水し難く、その水をそのまま放置すると錆や汚れが発生し、腐蝕も一層に進むことになる。
【０００８】
本発明の目的は、上述の課題を解消し、内筒内への水の浸入を防止すると共に、組立が容易な伸縮棒を提供することにある。
【課題を解決するための手段】
【０００９】
上述の目的を達成するための本発明に係る伸縮棒は、外筒内に、金属製の受部材と合成樹脂製の蓋部材とを組合わせて成る内筒を挿入し、前記外筒に設けたストッパ機構により前記内筒を所望の長さで固定する伸縮棒であって、前記受部材は断面Ｃ字状の底部に対し、該底部内に入り込む凹状部を設けて前記底部と前記凹状部間に密閉空間を形成すると共に、前記底部と前記凹状部との２つの境界部から内側に向いて向かい合う一対の張出部を突出し、前記蓋部材は表面の長手方向に前記ストッパ機構の係止片を挿入する複数個の有底の係止凹部を設けると共に、長手方向に所定の間隔を隔てて下方を向き可撓性を有する一対ずつの爪部を設け、これらの爪部の基部のそれぞれに外側に向けて開口する溝部を設け、前記受部材と前記蓋部材とを長手方向に揃えた状態で、前記受部材の張出部の縁部に前記蓋部材の爪部を押し付けて前記凹状部内に前記爪部を押し込むことにより前記溝部に前記張出部を嵌合し、前記受部材に前記蓋部材を連結したことを特徴とする。
【発明の効果】
【００１０】
本発明に係る伸縮棒によれば、金属製の内筒を加工する必要がないので、安価に製造することができる。更に、内筒に孔部を穿ける必要がないため水が内筒内に浸水する虞れがなく、錆等による製品の劣化を防止できる。
【図面の簡単な説明】
【００１１】
【図１】実施例の清掃用モップの斜視図である。
【図２】内筒の組立て前の状態の分解斜視図である。
【図３】受部材の端面の断面図である。
【図４】蓋部材の連結部の断面図である。
【図５】蓋部材の連結部間のの断面図である。
【図６】蓋部材を受部材に嵌合し始める状態の断面図である。
【図７】蓋部材を主体部材に押し込んだ状態の断面図である。
【図８】内筒を組み立てた状態の斜視図である。
【図９】ストッパ機構の部分断面図である。
【図１０】ストッパ機構の動作説明図である。
【発明を実施するための形態】
【００１２】
本発明を図示の実施例に基づいて詳細に説明する。
図１は本実施例の伸縮棒を用いた清掃用モップ１の斜視図である。清掃用モップ１は柄部２とモップ部３とから成り、柄部２に対してモップ部３は着脱ボタン等により着脱自在とされている。柄部２においては、金属又は強度を有する合成樹脂材から成る円筒状の外筒４の内側に内筒５が挿入され、繰り出し、繰り込み自在に摺動可能とされ、所定位置で固定するようにされている。外筒４の内径と内筒５の外径はほぼ一致し、外筒４内に内筒５のほぼ全長が挿入可能とされている。外筒４の先端部には、内筒５を所定位置で固定するための主として合成樹脂から成るストッパ機構６が設けられ、外筒４の後端部には、柄部２を握持するための握持部７が設けられている。
【００１３】
図２は内筒５の組立て前の状態の分解斜視図を示している。内筒５は、剛性を得るためにアルミニウム等の金属を押出成形により成形した受部材８と、射出成形により成型した合成樹脂材から成る蓋部材９とを組み合わせて連結するようになっている。
【００１４】
受部材８において、底部８ａが断面Ｃ字状に形成され、更に図３に示すように底部８ａの端縁間に底部８ａ側に凹んだ凹状部８ｂが形成され、底部８ａと凹状部８ｂに囲まれた領域はその断面において密閉空間とされている。また、底部８ａと凹状部８ｂの境界部に一対の張出部８ｃ、８ｄが形成され、これらの張出部８ｃ、８ｄは互いに内方に向けて向かい合うように突出して形成されている。底部８ａと凹状部８ｂによって断面において密閉空間を形成することで、外から内筒５内に水やゴミ等が入り込むことがなくなる。更に、張出部８ｃ、８ｄを底部８ａが拡がる方向へ力を加えたとしても、底部８ａは凹状部８ｂにより拡がることはなく、内筒５の断面が変形することはない。このため内筒５が変形によって外筒４内を摺動し難くなることはない。
【００１５】
また、合成樹脂材から成る蓋部材９の上面は円弧形状とされ、上面の長手方向に沿って等間隔に複数の有底の係止凹部９ａが形成されている。また、蓋部材９の長手方向に沿って、図４に断面形状を示す複数の連結部９ｂが等間隔に形成されている。本実施例では隣合う連結部９ｂ間に２個の係止凹部９ａが挟まれるように配置しているが、連結部９ｂは断続的であれば適宜の間隔で配置するようにして支障はない。連結部９ｂを断続的に設けることで爪部９ｃ、９ｄを形成する余分な合成樹脂を使用せず、かつ受部材８に蓋部材９を連結する際の押し込む作業の手間が減る。
【００１６】
図４に示すように、連結部９ｂの下部には、先端が尖り側方に斜面部を有し可撓性を持つ一対ずつの爪部９ｃ、９ｄが形成され、これらの爪部９ｃ、９ｄの間には隙間９ｅが設けられている。また、爪部９ｃ、９ｄの根本部の両側にはそれぞれ外側に向けて開口を有する溝部９ｆ、９ｇが形成されている。連結部９ｂの爪部９ｃ、９ｄの上面位置には、例えば成型により凹部とされたマーク９ｈが設けられている。なお、このマーク９ｈは印刷等によって設けてもよい。図５は爪部９ｃ、９ｄが設けられていない個所であって、係止凹部９ａを含む蓋部材９の断面図である。
【００１７】
なお、爪部９ｃ、９ｄは可撓性を有することが必要であるが、蓋部材９を可撓性材料により製造する必要はなく、爪部９ｃ、９ｄの基部の肉厚を薄くすることにより、爪部９ｃ、９ｄのみが動くようにすれば済む。
【００１８】
受部材８と蓋部材９の組立てに際しては、図６に示すように受部材８の上に蓋部材９の連結部９ｂを載置し、爪部９ｃ、９ｄが下方に設けられていることを表し、押し込み位置を示すマーク９ｈの近傍を下方に押す。このようにして、蓋部材９の爪部９ｃ、９ｄを上方から押し込むことにより、爪部９ｃ、９ｄの傾斜部が張出部８ｃ、８ｄの縁部により案内されて、爪部９ｃ、９ｄは隙間９ｅを狭めるようにして内側に撓む。
【００１９】
更に蓋部材９を押し込むと、図７に示すように爪部９ｃ、９ｄは、張出部８ｃ、８ｄを潜ぐり抜けて凹状部８ｂ内に入り込む。その後に、爪部９ｃ、９ｄは元の形状に復元して、爪部９ｃ、９ｄの根本部に設けた溝部９ｆ、９ｇ内に張出部８ｃ、８ｄがそれぞれ嵌合する。そして、全ての爪部９ｃ、９ｄを凹状部８ｂ内に嵌合すると、図８に示すように受部材８に蓋部材９を連結し、内筒５は完成する。
【００２０】
爪部９ｃ、９ｄは蓋部材９の長手方向に沿って連続した形状ではなく、断続的に設けたことにより、蓋部材９の複数個所を押し込むだけで蓋部材９は受部材８に連結する。一旦、この連結が得られれば、張出部８ｃ、８ｄが溝部９ｆ、９ｇ内に喰い込んでいるために、長手方向に相互に摺動しない限り分離はできない。なお、使用中における受部材８と蓋部材９との相互移動は、溝部９ｆ、９ｇに対する張出部８ｃ、８ｄの摺動抵抗が大きいために通常は発生しないが、移動を確実に防止するために、蓋部材９の端部に側壁を設けて、受部材８を挟み込むことにより移動を防止するようにしてもよい。
【００２１】
図９はストッパ機構６の断面図を示し、外筒４の内端部には合成樹脂製の筒状の本体部６ａが固定され、その表面に長手方向に沿って操作レバー６ｂが設けられている。操作レバー６ｂは長片状とされ、支点６ｃを中心にシーソー状に可動とされ、操作レバー６ｂの先端には内向きに係止片６ｄが突出され、後端の表面は押圧部６ｅとされている。また、操作レバー６ｂの押圧部６ｅはばね６ｆにより常時上方に付勢されている。係止片６ｄを内筒５に設けた係止凹部９ａに挿入することにより、操作レバー６ｂはばね６ｆの付勢力によりその状態が維持され、外筒４に対する内筒５の移動が防止される。
【００２２】
なお、ストッパ機構６はばね６ｆを用いなくとも、操作レバー６ｂの係止凹部９ａに対する係止状態が、例えば機械的な手段により維持できればよい。
【００２３】
このようにして、受部材８に蓋部材９を部分的に連結させた内筒５を、外筒４内に挿入して組み立てることにより、図１に示す清掃用モップ１が得られる。
【００２４】
柄部２の長さを調整する場合には、図１０に示すようにストッパ機構６の押圧部６ｅをばね６ｆの付勢力に抗して指で押して操作することにより、支点６ｃを中心に操作レバー６ｂが傾動して係止片６ｄが持ち上がり、係止凹部９ａに対する係止が解除される。そこで、外筒４に対して内筒５を自在に繰り出し又は繰り込んで、柄部２を所望の長さとした後に指を離せば、該当する係止凹部９ａ内に係止片６ｄが挿入され、内筒５を外筒４に対し移動不能に固定できる。
【００２５】
このように、上述の伸縮棒を用いた清掃用モップは、内筒５に孔部を穿設する必要がないことから、孔部からの内筒５内への水の浸入を防止すると共に、内筒５の組立は蓋部材９を受部材８に部分的に押し込むだけで済むので容易である。
【産業上の利用可能性】
【００２６】
本実施例の伸縮棒は、清掃用モップに適用して説明したが、庭木を剪定する高枝切り鋏み、その他の器具等においても利用できる。
【符号の説明】
【００２７】
１  清掃用モップ
２  柄部
３  モップ部
４  外筒
５  内筒
６  ストッパ機構
６ａ  本体部
６ｂ  操作レバー
６ｃ  支点
６ｄ  係止片
６ｅ  押圧部
６ｆ  ばね
７  握持部
８  受部材
８ａ  底部
８ｂ  凹状部
８ｃ、８ｄ  張出部
９  蓋部材
９ａ  係止凹部
９ｂ  連結部
９ｃ、９ｄ  爪部
９ｅ  隙間
９ｆ、９ｇ  溝部
９ｈ  マーク
【図１】
2015019939.tif 000003
【図２】
2015019939.tif 000004
【図３】
2015019939.tif 000005
【図４】
2015019939.tif 000006
【図５】
2015019939.tif 000007
【図６】
2015019939.tif 000008
【図７】
2015019939.tif 000009
【図８】
2015019939.tif 000010
【図９】
2015019939.tif 000011
【図１０】
2015019939.tif 000012